(57)【要約】【課題】暖房運転と連動する空気清浄運転の出力を調整可能な空気清浄機能を備えた温風暖房装置を提供すること。【解決手段】暖房運転と空気を清浄化する空気清浄運転との連動運転が可能な空気清浄機能を備えた温風暖房装置において、連動運転における空気清浄運転の出力調整を行う出力調整手段を設けた。連動運転における空気清浄運転の出力調整は、出力調整手段が空気清浄運転の送風量の調整をすることによって行うように構成した。【選択図】図１
2019207056.tif 000002
【特許請求の範囲】
【請求項１】
暖房運転と空気を清浄化する空気清浄運転との連動運転が可能な空気清浄機能を備えた温風暖房装置において、
前記連動運転における前記空気清浄運転の出力調整を行う出力調整手段を備えたことを特徴とする温風暖房装置。
【請求項２】
前記空気洗浄機能用のイオン発生手段と送風手段を備え、
前記空気清浄運転は、前記イオン発生手段が発生させたイオンを前記送風手段の送風によって送り出し、
前記出力調整手段は、前記送風手段の送風量調整により前記出力調整を行うことを特徴とする請求項１に記載の温風暖房装置。
【請求項３】
前記出力調整手段は、前記連動運転における前記空気清浄運転の出力を切替えるための切替スイッチを備えたことを特徴とする請求項１又は２に記載の温風暖房装置。
【請求項４】
前記出力調整手段は、前記連動運転における前記空気清浄運転の出力を前記暖房運転の暖房能力に比例して自動調整するように構成されたことを特徴とする請求項１又は２に記載の温風暖房装置。
【発明の詳細な説明】
【技術分野】
【０００１】
本発明は、空気清浄機能を備えた温風暖房装置に関する。
【背景技術】
【０００２】
従来から、暖房運転と空気清浄運転を同時に行うことができる空気清浄機能を備えた温風暖房装置が広く利用されている。このような温風暖房装置として、例えば特許文献１のように、暖房運転に連動させて空気清浄運転を行うことができる温風暖房装置が知られている。
【０００３】
特許文献１の温風暖房装置は、暖房運転の暖房能力を室温等に応じて調整する。また、暖房運転の開始と連動して空気清浄運転が開始され、暖房運転の停止と連動して空気清浄運転が停止される。暖房運転の開始及び停止は、ユーザが操作可能なように設けられた暖房運転の開始／停止スイッチによってなされる。また、暖房運転を行わないときに空気清浄運転を行うために、暖房運転と連動させずに空気清浄運転を単独で開始／停止させるための空気清浄運転の開始／停止スイッチも備えている。
【先行技術文献】
【特許文献】
【０００４】
【特許文献１】特開２００２−１８１３８６号公報
【発明の概要】
【発明が解決しようとする課題】
【０００５】
しかし、特許文献１の温風暖房装置は、暖房運転と連動する空気清浄運転の出力を調整可能なように構成されておらず、暖房運転の暖房能力が小さくなったときに空気清浄運転の運転音が相対的に大きく聞こえてユーザが煩わしさを感じる虞があった。この空気清浄運転の運転音を小さくするために空気清浄運転の出力を常時小さくすると、十分な空気清浄能力が得られない虞があった。
【０００６】
本発明の目的は、暖房運転と連動する空気清浄運転の出力を調整可能な温風暖房装置を提供することである。
【課題を解決するための手段】
【０００７】
請求項１の発明は、暖房運転と空気を清浄化する空気清浄運転との連動運転が可能な空気清浄機能を備えた温風暖房装置において、前記連動運転における前記空気清浄運転の出力調整を行う出力調整手段を備えたことを特徴としている。
【０００８】
上記構成によれば、暖房運転との連動運転における空気清浄運転の出力を出力調整手段によって調整することができる。従って、運転音の大きさや空気清浄能力を調整することができる。
【０００９】
請求項２の発明は、請求項１の発明において、前記空気洗浄機能用のイオン発生手段と送風手段を備え、前記空気清浄運転は、前記イオン発生手段が発生させたイオンを前記送風手段の送風によって送り出し、前記出力調整手段は、前記送風手段の送風量調整により前記出力調整を行うことを特徴としている。
【００１０】
上記構成によれば、暖房運転との連動運転における空気清浄運転の送風量の調整によって空気清浄運転の出力を調整することができるので、その空気清浄運転の運転音の大きさや空気清浄能力を調整することができる。
【００１１】
請求項３の発明は、請求項１又は２の発明において、前記出力調整手段は、前記連動運転における前記空気清浄運転の出力を切替えるための切替スイッチを備えたことを特徴としている。
【００１２】
上記構成によれば、暖房運転との連動運転における空気清浄運転の出力を切替スイッチの操作により調整することができるので、ユーザがその空気清浄運転の運転音の大きさや空気清浄能力を調整することができる。
【００１３】
請求項４の発明は、請求項１又は２の発明において、前記出力調整手段は、前記連動運転における前記空気清浄運転の出力を前記暖房運転の暖房能力に比例して自動調整するように構成されたことを特徴としている。
【００１４】
上記構成によれば、暖房運転との連動運転における空気清浄運転の出力を、暖房運転の暖房能力に比例して自動調整することができるので、暖房運転に合わせて空気清浄運転の運転音の大きさや空気清浄能力を自動調整することができる。
【発明の効果】
【００１５】
本発明の貯湯給湯装置によれば、暖房運転と連動する空気清浄運転の出力を調整することができる。
【図面の簡単な説明】
【００１６】
【図１】本発明の実施例に係る温風暖房装置の斜視図である。
【図２】図１の温風暖房装置の後面図である。
【図３】図２のIII−III線断面図である。
【図４】図２のIV−IV線断面図である。
【図５】本発明の実施例に係る温風暖房装置の操作部の要部平面図である。
【図６】空気清浄運転の設定変更の１例を示す図である。
【発明を実施するための形態】
【００１７】
以下、本発明を実施するための形態について実施例に基づいて説明する。
【実施例】
【００１８】
本発明の温風暖房装置１について説明する。
図１〜図４に示すように、温風暖房装置１は略直方体形状のケース２を有し、ケース２の上面部に操作部２０を備えている。矢印Ｆ，Ｕ，Ｌは、夫々温風暖房装置１の前方、上方、左方を示す。この温風暖房装置１は、ケース２の後面部に設けられた第１吸込口３から室内の空気を吸気し、この吸気した空気を加熱部４で温めてケース２の前面部下部の温風吹出口５から室内に送風する暖房運転を行う。ケース２の後面部下部には電源コードや、燃料ホース又は温水配管の接続口等が配設されている。
【００１９】
ケース２内には、矢印Ａ１〜Ａ３で示すように、第１吸込口３から加熱部４を通って温風吹出口５に至る暖房風通路６が形成されている。暖房風通路６は、この暖房風通路６内に空気を流通させるための遠心ファンを有する第１送風機７を備えている。第１吸込口３には空気中の塵埃等を捕獲するためのエアフィルタ３ａが装着されている。このエアフィルタ３ａは着脱可能であり、清掃や交換を容易に行うことができる。
【００２０】
加熱部４は、例えば外部から供給される燃料ガスをバーナ部４ａで燃焼させたときの熱によって空気を温めるように構成された燃焼式の空気加熱装置で構成されている。燃焼式の空気加熱装置の代わりに、室外の温水装置等から供給される温水によって空気を温める温水式の空気加熱装置、又は通電により発熱させた発熱体によって空気を温める電熱式の空気加熱装置により加熱部４を構成することもできる。
【００２１】
加熱部４は、その加熱能力（暖房能力）を例えば室温に合わせて調整することができ、燃焼式の空気加熱装置であれば火力や第１送風機７の送風量等の調整により暖房能力を調整可能である。温水式の空気加熱装置であれば温水の供給流量や第１送風機７の送風量等の調整により、電熱式の空気加熱装置であれば通電の電圧や第１送風機７の送風量等の調整により暖房能力を調整可能である。
【００２２】
この温風暖房装置１は空気清浄機能を有し、ケース２の後面部に設けられた第２吸込口１０から室内の空気を吸気し、この吸気した空気をイオン発生装置１１（イオン発生手段）が発生させたイオンと一緒にケース２の上面部に設けられたイオン吹出口１２から室内に送り出す空気清浄運転を行う。第２吸込口１０には空気中の塵埃等を捕獲するためのエアフィルタ１０ａが装着されている。第２吸込口１０から吸気した空気に含まれる水分をイオン発生装置１１がイオン化してエアフィルタ１０ａによって塵埃等が除去された空気と一緒にイオン吹出口１２から送風することにより室内の空気を清浄化する。エアフィルタ１０ａは着脱可能であり、清掃や交換を容易に行うことができる。
【００２３】
ケース２内には、矢印Ａ４〜Ａ６で示すように、第２吸込口１０からイオン発生装置１１を通ってイオン吹出口１２に至る空気清浄通路１３が形成されている。この空気清浄通路１３には、空気清浄通路１３内に空気を流通させるための遠心ファンを有する第２送風機１４（送風手段）が配設され、第２送風機１４の送風量を調整することにより空気清浄運転の出力（空気清浄能力）を調整可能である。イオン発生装置１１は、例えば電極間に電圧を印加して空気中に含まれる水分をイオン化する公知のイオン発生装置である。イオン発生装置１１が発生させたイオンは、接触した細菌等を不活化する。
【００２４】
図示を省略するが、温風暖房装置１は、ケース２内に暖房運転や空気清浄運転を制御する制御部を備え、例えば温風暖房装置１内に配設された各種センサの検知信号に基づいて室温が暖房設定温度になるように暖房能力を調整する。また、制御部は、ユーザによる温風暖房装置１の操作等が可能な操作部２０を備え、例えば操作部２０で設定したタイマー設定に基づいて暖房運転を開始／停止させる機能も有する。そして、制御部は、操作部２０によって設定された空気清浄運転の設定に基づいて空気清浄運転を制御する。この制御部と操作部２０により空気清浄運転の出力を調整する出力調整手段が構成されている。
【００２５】
図５に示すように、操作部２０はケース２の上面部に設けられ、表示部２１と複数の操作スイッチを備えている。操作スイッチとしては、暖房設定温度やタイマーの設定時間等を調整する調整スイッチ２２ａ，２２ｂ、暖房運転を開始／停止する暖房スイッチ２２ｃ、空気清浄運転の開始／停止スイッチを兼ねた空気清浄運転の設定を切替える切替スイッチ２２ｄ等が設けられている。操作部２０は、遠隔操作可能な図示外の操作端末に設けられていてもよい。
【００２６】
切替スイッチ２２ｄは、空気清浄運転の暖房運転との連動／非連動の設定及び空気清浄運転の出力の設定を切替える。空気清浄運転の設定は、例えば図６に示すように、切替スイッチ２２ｄを１回押下操作する度に、暖房運転と連動させる自動出力調整の空気清浄運転（自動）、暖房運転と連動させる強出力の空気清浄運転（強連動）、暖房運転と連動させる弱出力の空気清浄運転（弱連動）、暖房運転と連動させない強出力の空気清浄運転（強）、暖房運転と連動させない弱出力の空気清浄運転（弱）、空気清浄運転停止（停止）の順に切替えられる。空気清浄運転の出力は３段階以上の多段階設定が可能であってもよく、設定出力等の切替えは設定項目として例えば設定メニューの中に設けられていてもよい。
【００２７】
図５の表示部２１には図６の空気清浄運転の切替えに対応した表示がなされる。例えば暖房運転と連動させる自動出力調整の空気清浄運転では「暖房連動」、暖房運転と連動させる強出力の空気清浄運転では「強」と「暖房連動」、暖房運転と連動させない弱出力の空気清浄運転では「弱」が表示され、空気清浄運転停止では「強」、「弱」、「暖房連動」の何れも表示されない。尚、表示態様は、上記に限定されるものではない。
【００２８】
暖房運転と連動させる自動出力調整の空気清浄運転は、制御部が暖房運転の開始／停止に連動させて空気清浄運転を開始／停止させると共に、暖房運転の暖房能力に比例するように予め設定された所定値以上場合には空気清浄運転を強出力に、所定値未満の場合には空気清浄運転を弱出力に自動的に調整する。即ち、この暖房運転と空気清浄運転との連動運転は、空気清浄運転の開始／停止及びその出力調整を暖房運転に連動させて行っている。この空気清浄運転の設定は、暖房運転の停止に連動して空気清浄運転が停止されても維持される。
【００２９】
暖房運転と連動させる強出力又は弱出力の空気清浄運転は、制御部が暖房運転の開始／停止に連動させて強出力又は弱出力の空気清浄運転を開始／停止させる。空気清浄運転の出力は、切替スイッチ２２ｄの操作が無ければ調整されない。即ち、この暖房運転と空気清浄運転との連動運転は、空気清浄運転の開始／停止を暖房運転に連動させている。この空気清浄運転の設定は、暖房運転の停止に連動して空気清浄運転が停止されても維持される。
【００３０】
暖房運転と連動させない強出力又は弱出力の空気清浄運転は、制御部がユーザによる切替スイッチ２２ｄの操作に応じて空気清浄運転を開始／停止させる。例えば暖房運転中でない時に、切替スイッチ２２ｄの操作により暖房運転と連動させない強出力の空気清浄運転（強）に切替えられると強出力の空気清浄運転が開始され、もう１回切替スイッチ２２ｄの操作があると弱出力の空気清浄運転（弱）に切替えられ、さらに１回切替スイッチ２２ｄの操作があると空気清浄運転が停止される。
【００３１】
次に、本発明の温風暖房装置１の作用、効果について説明する。
温風暖房装置１は空気清浄機能を備え、暖房運転と空気清浄運転との連動運転が可能である。暖房スイッチ２２ｃの操作又はタイマー機能により暖房運転が開始され、暖房運転の開始に連動して空気清浄運転が開始される。この連動運転における空気清浄運転の出力調整を行う出力調整手段は、操作部２０と制御部によって構成され、この出力調整手段によって暖房運転との連動運転における空気清浄運転の出力を調整することができる。
【００３２】
空気清浄運転は、エアフィルタ１０ａで塵埃等を除去した空気と一緒にイオン発生装置１１が発生させたイオンを第２送風機１４の送風によって室内に送り出す。空気清浄運転の出力調整は、出力調整手段による第２送風機１４の送風量調整により行われ、暖房運転との連動運転における空気清浄運転の送風量の調整によって空気清浄運転の出力を調整することができる。従って、空気清浄運転の運転音の大きさや空気清浄能力を調整することができる。
【００３３】
出力調整手段は、連動運転における空気清浄運転の出力を切替えるための切替スイッチ２２ｄを操作部２０に備えている。従って、暖房運転との連動運転における空気清浄運転の出力を切替スイッチ２２ｄの操作により調整することができるので、その空気清浄運転の運転音の大きさや空気清浄能力を調整することができる。
【００３４】
出力調整手段は、連動運転における空気清浄運転の出力を暖房運転の暖房能力の調整に連動して自動調整するように構成されている。従って、暖房運転との連動運転における空気清浄運転の運転音の大きさや空気清浄能力を、暖房運転の暖房能力の調整に応じて自動調整することができる。
【００３５】
その他、当業者であれば、本発明の趣旨を逸脱することなく上記実施例に種々の変更を付加した形態で実施可能であり、本発明はそのような変更形態を包含するものである。
【符号の説明】
【００３６】
１      ：温風暖房装置
２      ：ケース
３      ：第１吸込口
５      ：温風吹出口
６      ：暖房風通路
７      ：第１送風機
１０    ：第２吸込口
１０ａ  ：エアフィルタ
１１    ：イオン発生装置（イオン発生手段）
１２    ：イオン吹出口
１３    ：空気清浄通路
１４    ：第２送風機（送風手段）
２０    ：操作部
２１    ：表示部
２２ｄ  ：切替スイッチ
【図１】
2019207056.tif 000003
【図２】
2019207056.tif 000004
【図３】
2019207056.tif 000005
【図４】
2019207056.tif 000006
【図５】
2019207056.tif 000007
【図６】
2019207056.tif 000008